(57)【要約】【課題】ユーザが文書ＩＤにてサーバ装置内の文書を指定し、それを印刷指示するという形態を採ると、文書をＰＤＡに持ち出して閲覧し、また必要に応じて印刷するという機能を実現できない。【解決手段】クライアントＰＣ１１側では、サーバ装置１２へ文書を転送した際に、サーバ装置１２から文書ＩＤを取得し、この取得した文書ＩＤを文書と共にＰＤＡ１６へ転送する一方、ＰＤＡ１６側では、クライアントＰＣ１１から転送された文書および文書ＩＤを関連付けて管理する。そして、文書を印刷する際は、当該文書に対応する文書ＩＤをＰＤＡ１６からサーバ装置１２へ送信し、これを受けてサーバ装置１２が文書ＩＤに対応する文書をプリンタ１５−１〜１５−ｎのいずれかへ転送することで、ＰＤＡ１１の文書ではなく、ＰＤＡ１１から送信された文書ＩＤに対応するサーバ装置１２の文書を印刷するようにする。【選択図】図１
2006185009.tif 000002
【特許請求の範囲】
【請求項１】
クライアント装置、サーバ装置および印刷装置がネットワークを介して相互に接続されてなり、前記クライアント装置で作成され、携帯端末に転送された文書を当該携帯端末からの印刷指示によって前記印刷装置で印刷する印刷システムであって、
前記クライアント装置は、前記サーバ装置および前記携帯端末へ文書を転送するとともに、前記サーバ装置へ転送した際に当該サーバ装置で管理する文書ＩＤを前記サーバ装置から受信し、かつ前記携帯端末へ文書を転送する際に、当該文書と共に前記文書ＩＤも転送し、
前記携帯端末は、前記クライアント装置から前記端末装置へ文書および文書ＩＤが転送されたときはこれらを関連付けて管理し、文書の印刷を指示する際に、当該文書に対応する文書ＩＤを前記サーバ装置に送信し、
前記サーバ装置は、前記クライアント装置から文書が転送されたとき、当該文書を管理する文書ＩＤを前記クライアント装置へ送信するとともに、前記携帯端末から文書ＩＤを受信したとき、当該文書ＩＤに対応する文書を前記印刷装置で印刷すべく、当該印刷装置へ転送する
ことを特徴とする携帯端末文書の印刷システム。
【請求項２】
前記クライアント装置は、作成した文書をそのままのフォーマットで前記携帯端末に転送し、
前記携帯端末は、前記クライアント装置から転送された文書をビューアアプリケーションにより閲覧する
ことを特徴とする請求項1記載の携帯端末文書の印刷システム。
【請求項３】
前記クライアント装置は、作成した文書を簡易フォーマットで前記携帯端末に転送し、
前記携帯端末は、前記クライアント装置から転送された文書を前記簡易ビューアアプリケーションにより閲覧する
ことを特徴とする請求項1記載の携帯端末文書の印刷システム。
【請求項４】
前記クライアント装置は、作成した文書を画像フォーマットに変換して前記携帯端末に転送し、
前記携帯端末は、前記クライアント装置から転送された文書をイメージビューアアプリケーションにより閲覧する
ことを特徴とする請求項1記載の携帯端末文書の印刷システム。
【請求項５】
前記クライアント装置は、作成した文書をそのままのフォーマットで前記サーバ装置に転送し、
前記サーバ装置は、前記クライアント装置から転送された文書をその文書フォーマットに対応するアプリケーションの印刷機能により前記印刷装置にて印刷する
ことを特徴とする請求項1記載の携帯端末文書の印刷システム。
【請求項６】
前記クライアント装置は、作成した文書を印刷フォーマットに変換して前記サーバ装置に転送し、
前記サーバ装置は、前記印刷フォーマットを前記印刷装置に送信することにより印刷する
ことを特徴とする請求項1記載の携帯端末文書の印刷システム。
【請求項７】
前記携帯端末は、文書の印刷を指示する際に、当該文書に対応する文書ＩＤと前記印刷装置を指定する指定情報を前記サーバ装置に送信し、
前記サーバ装置は、前記携帯端末から送信された前記文書ＩＤに対応する文書を、前記携帯端末から送信された前記指定情報に対応する印刷装置にて印刷する
ことを特徴とする請求項1記載の携帯端末文書の印刷システム。
【請求項８】
前記文書ＩＤは、印刷可能な装置情報を含む
ことを特徴とする請求項７記載の携帯端末文書の印刷システム。
【請求項９】
前記携帯端末は、文書の印刷を指示する際に、当該文書に対応する文書ＩＤを前記印刷装置に送信し、
前記印刷装置は、前記携帯端末から受信した前記文書ＩＤに対応する文書を前記サーバ装置から取得して印刷する
ことを特徴とする請求項1記載の携帯端末文書の印刷システム。
【請求項１０】
前記携帯端末は、文書への追記情報を作成する手段をもち、文書の印刷を指示する際に、当該文書に対応する文書ＩＤと前記追記情報を前記サーバ装置に送信し、
前記サーバ装置は、前記携帯端末から送信された前記文書ＩＤに対応する文書に、前記携帯端末から送信された前記追記情報を合成して前記印刷装置にて印刷する
ことを特徴とする請求項1記載の携帯端末文書の印刷システム。
【請求項１１】
クライアント装置および印刷装置とネットワークを介して接続されたサーバ装置であって、
前記クライアント装置で作成され、携帯端末に転送された文書を当該携帯端末からの印刷指示によって前記印刷装置で印刷するに当たり、
前記クライアント装置から文書が転送されたとき、当該文書を管理する文書ＩＤを前記クライアント装置へ送信し、
前記クライアント装置から前記携帯端末へ文書と共に転送された前記文書ＩＤを前記携帯端末から受信したとき、当該文書ＩＤに対応する文書を前記印刷装置で印刷すべく、当該印刷装置へ転送する
ことを特徴とするサーバ装置。
【請求項１２】
クライアント装置、サーバ装置および印刷装置がネットワークを介して相互に接続されてなる印刷システムにおいて、
前記クライアント装置で作成され、携帯端末に転送された文書を当該携帯端末からの印刷指示によって前記印刷装置で印刷するに当たり、
前記クライアント装置から前記サーバ装置および前記携帯端末へ文書を転送するとともに、前記サーバ装置へ転送した際に当該サーバ装置で管理する文書ＩＤを前記サーバ装置から前記クライアント装置へ転送し、かつ前記携帯端末へ文書を転送する際に、当該文書と共に前記文書ＩＤも転送し、
前記クライアント装置から前記端末装置へ文書および文書ＩＤが送信されたときは前記端末装置にてこれらを関連付けて管理し、
前記携帯端末から文書の印刷を指示する際に、当該文書に対応する文書ＩＤを前記携帯端末から前記サーバ装置に送信し、当該文書ＩＤに対応する文書を前記サーバ装置から前記印刷装置へ転送して当該印刷装置で印刷する
ことを特徴とする携帯端末文書の印刷方法。
【発明の詳細な説明】
【技術分野】
【０００１】
本発明は、携帯端末文書の印刷システム、サーバ装置および印刷方法に関し、特にクライアント装置で作成されて携帯端末に転送された文書（携帯端末文書）を、携帯端末からの印刷指示によって印刷するシステム、当該システムで用いられるサーバ装置および印刷方法に関する。
【背景技術】
【０００２】
ＰＤＡ(Personal Digital Assistants)に代表される携帯端末が普及するにつれて、外出先においても当該携帯端末を利用してスケジュール情報を管理したり、メールを送受信したりできるようになっている。さらに、パーソナルコンピュータ（以下、「ＰＣ」と記す）上で作成した文書をＰＤＡ等の携帯端末に取り込み、それを外出先でも参照するという使い方ができるようになってきた。
【０００３】
しかしながら、ＰＤＡで参照している文書を印刷しようとすると問題が生じることが多い。そもそもＰＤＡからの直接印刷がサポートされていなかったり、サポートされていても機能が制限されていたりする場合が多い。元の文書が格納されているＰＣの近くにいれば、そこから元の文書を印刷することができるが、そうでない場合にはＰＤＡ内の文書を他の印刷可能な機器（ＰＣや複数機能を持つマルチファンクションデバイスなど）に移して、そこから印刷することになる。
【０００４】
ところが、ＰＤＡ内の文書ビューアはオリジナルのＰＣ版に比べて機能が制限されており、文書フォーマット自体もＰＣからＰＤＡに転送される時点で変換されることがある。この場合、ＰＤＡに格納されている文書を他の印刷可能な機器に転送しても、その文書はオリジナルのものに比べて簡易なフォーマットになっており、当該簡易なフォーマットの文書を印刷してもオリジナル文書と同様の結果が得られない。
【０００５】
また、ＰＣ上のアプリケーションからの印刷操作により、文書の表示情報をイメージファイルとしてＰＤＡに取り込み、ＰＤＡ上で文書を表示させるというソフトウェアもあるが、この場合、イメージファイルの解像度はＰＤＡの表示に十分なものに設定されているので、これを印刷しようとすると粗い画像でしか印刷できない。
【０００６】
ＰＤＡに取り込む際にプリンタの解像度にあわせてイメージ化することは、ＰＤＡの小さい記憶容量を考えると現実的ではないし、仮にそれができたとしても、印刷時に拡縮やＮ−ｕｐ機能（Ｎページの文書を１枚の用紙に縮小印刷する機能）などを設定してしまうとモアレパターンが発生し、やはりオリジナル文書の印刷品質は得られない。
【０００７】
これを解決する技術として、文書もしくはその印刷フォーマットをサーバ装置に保管しておき、ＰＤＡより印刷を指示してサーバ装置より最寄りのプリンタを用いて文書を印刷するという技術が知られている。
【０００８】
具体的には、他の機器にある文書をトークンと呼ばれる文書ＩＤをＰＤＡにて参照し、それをプリンタに印刷指示するようにしている（例えば、特許文献１参照）。また、あらかじめＰＣより文書を印刷指示してプリントサーバ装置に保存しておき、そのＩＤをメールで携帯端末に知らせ、携帯端末よりそのＩＤを指定して最寄りのプリンタに印刷指示するようにしている（例えば、特許文献２参照）。
【０００９】
【特許文献１】特開平８−１３７７７６号公報
【特許文献２】特開２００１−３２５１８２号公報
【発明の開示】
【発明が解決しようとする課題】
【００１０】
しかしながら、上記いずれの従来技術でも、ユーザが文書ＩＤにてサーバ装置内の文書を指定し、それを印刷指示するという形態をとっており、ＰＤＡ等の携帯端末にて表示されるのはＩＤだけなので、ユーザはその文書の内容をＰＤＡの画面にて見ることはできない。すなわち、文書をＰＤＡに持ち出して閲覧し、また必要に応じてオリジナル文書と同等の印刷品質にて印刷するという機能を実現できていないのが現状である。
【００１１】
本発明は、上記課題に鑑みてなされたものであって、その目的とするところは、クライアント装置で作成した文書を携帯端末に転送して当該携帯端末で閲覧し、また必要に応じて近くの印刷装置にてオリジナル文書と同等の印刷品質にて印刷することが可能な携帯端末文書の印刷システム、サーバ装置および印刷方法を提供することにある。
【課題を解決するための手段】
【００１２】
上記目的を達成するために、本発明では、クライアント装置、サーバ装置および印刷装置がネットワークを介して相互に接続されてなる印刷システムにおいて、前記クライアント装置で作成され、携帯端末に転送された文書を当該携帯端末からの印刷指示によって前記印刷装置で印刷するに当たり、前記クライアント装置から前記サーバ装置および前記携帯端末へ文書を転送するとともに、前記サーバ装置へ転送した際に当該サーバ装置で管理する文書ＩＤを前記サーバ装置から前記クライアント装置へ送信し、かつ前記携帯端末へ文書を転送する際に、当該文書と共に前記文書ＩＤも転送し、前記クライアント装置から前記端末装置へ文書および文書ＩＤが転送されたときは前記端末装置にてこれらを関連付けて管理し、前記携帯端末から文書の印刷を指示する際に、当該文書に対応する文書ＩＤを前記携帯端末から前記サーバ装置に送信し、当該文書ＩＤに対応する文書を前記サーバ装置から前記印刷装置へ転送して当該印刷装置で印刷するようにしている。
【００１３】
上記構成の印刷システムにおいて、クライアント装置は、サーバ装置へ文書を転送した際に、サーバ装置から文書ＩＤを取得し、この取得した文書ＩＤを文書と共に携帯端末へ転送する一方、携帯端末は、クライアント装置から転送された文書および文書ＩＤを関連付けて管理する。これにより、携帯端末では、クライアント装置から転送された文書を自由に閲覧できる。また、文書を印刷する際には、当該文書に対応する文書ＩＤを携帯端末からサーバ装置へ送信すると、当該サーバ装置は、文書ＩＤに対応する文書を印刷装置へ転送する。これにより、印刷装置では、携帯端末の文書ではなく、サーバ装置の文書が印刷される。
【発明の効果】
【００１４】
本発明によれば、ユーザがクライアント装置から携帯端末に転送して持ち出した文書を印刷する際に、携帯端末の文書ではなく、携帯端末から送信された文書ＩＤに対応するサーバ装置の文書が印刷されることになるため、文書を携帯端末に持ち出して閲覧するという機能と、必要に応じて近くの印刷装置にてオリジナル文書と同等の印刷品質にて印刷するという機能の双方を実現できる。
【発明を実施するための最良の形態】
【００１５】
以下、本発明の実施の形態について図面を参照して詳細に説明する。
【００１６】
［第１実施形態］
図１は、本発明の第１実施形態に係る携帯端末文書の印刷システムの全体構成を示すブロック図である。
【００１７】
図１において、クライアント装置１１およびサーバ装置１２が例えば社内のネットワーク１３を介して相互に接続されている。ここでは、図面の簡略化のため、クライアント装置１１およびサーバ装置１２を各々１台ずつ図示したが、２台以上であっても良いことは勿論である。ネットワーク１３による接続形態としては、ＬＡＮ(Local Area Network)、インターネットや電話回線網、専用線を用いる形態や、相互に直結する形態など、種々の接続形態を採ることができる。
【００１８】
ネットワーク１３は、例えばインターネット１４に接続されている。このインターネット１４には、ｎ個のプリンタ（印刷装置）１５−１〜１５−ｎが接続されている。これにより、サーバ装置１２への社外からのアクセスが可能であるとともに、社外のプリンタ１５−１〜１５−ｎを用いての印刷が可能になっている。プリンタについて複数台に限られるものではなく、１台のみであっても良い。
【００１９】
クライアント装置１１は、例えばユーザが普段使用しているＰＣ（以下、「クライアントＰＣ」と記す）で、ここで文書の作成などが行われる。このクライアントＰＣ１１に対して、ユーザが使用する携帯端末、例えばＰＤＡ１５が例えばＵＳＢ(Universal Serial Bus)１６にて適宜接続される。ここでは、一例としてＵＳＢ接続を挙げたが、ＬＡＮ接続や無線ＬＡＮ接続などの方法で接続されていても構わない。
【００２０】
（クライアントＰＣの構成および動作）
図２は、クライアントＰＣ１１内の構成の一例を示す機能ブロック図である。本例に係るクライアントＰＣ１１は、外部とのインタフェースとしてイーサネット(登録商標)インタフェース２１とＵＳＢインタフェース２２を持ち、それぞれサーバ装置１２への文書転送と、ＰＤＡ１６への文書転送に利用される。
【００２１】
文書転送アプリケーション２３は、ユーザインタフェース２４を通して、ファイルシステム２５にある文書を指定し、その文書をサーバ文書転送機構２６およびＰＤＡ文書転送機構２７を通してサーバ装置１２およびＰＤＡ１６に転送する。文書のアプリケーションによっては、ＰＤＡ１６に転送する際に、フォーマット変換を行うためのフィルタを持つものがあり、そのようなフィルタがあれば、ＰＤＡ文書転送機構２７から呼ばれて、ＰＤＡ１６に適したフォーマット、例えば簡易フォーマットに変換されて転送される。
【００２２】
次に、上記構成のＰＤＡ１６の動作について説明する。クライアントＰＣ１１で作成した文書をＰＤＡ１６に入れて持ち歩きたいユーザは、ＰＤＡ１６をＵＳＢ１７にてクライアントＰＣ１１に接続し、文書転送アプリケーション２３を起動する。この文書転送アプリケーション２３のユーザインタフェース２４にて、転送したい文書を一覧／選択し、転送を指示する。
【００２３】
すると、文書転送アプリケーション２３は、まずその文書を、サーバ文書転送機構２６により特定のサーバ装置（本例では、サーバ装置１２）に転送する。クライアントＰＣ１１から文書を受け取ったサーバ装置１２は、その文書をサーバ装置１２内で一意に識別できる文書ＩＤを発行して、クライアントＰＣ１１に返す。
【００２４】
クライアントＰＣ１１上の文書転送アプリケーション２３は、サーバ装置１２から文書ＩＤを受け取ると、当該文書ＩＤに対応する元の文書（必要ならフィルタによりフォーマット変換した文書）と共にＰＤＡ１６に転送する。
【００２５】
これらは一連の動作として実行されるので、ユーザには単に文書がＰＤＡ１６に転送されただけのように見える。
【００２６】
図３に、文書ＩＤの構成例を示す。この文書ＩＤには、サーバ装置１２のＵＲＬ(Uniform Resource Locator)、文書のファイル名と共に、そのサーバ装置１２からアクセスして印刷可能なプリンタ１５−１〜１５−ｎのリスト（プリンタ名／アドレス）が列挙されている。
【００２７】
（ＰＤＡの構成および動作）
図４は、ＰＤＡ１６内の構成の一例を示す機能ブロック図である。図４において、クライアントＰＣ１１から転送された文書は、ＵＳＢインタフェース４１および文書蓄積機構４２を通してファイルシステム４３に保存される。このファイルシステム４３に保存された文書については、文書ビューアアプリケーション４４により閲覧することができる。
【００２８】
一方、クライアントＰＣ１１から転送された文書ＩＤは、ＵＳＢインタフェース４１および文書蓄積機構４２を通して文書のファイル名と対応する形で文書ＩＤレポジトリ４５に保存される。これはたとえば、「file1.doc」という文書に対する文書ＩＤを「file1.doc.did」という名前で保存することにより対応付けることができる。
【００２９】
クライアントＰＣ１１で作成した文書をＰＤＡ１６に転送したユーザは、当該ＰＤＡ１６をクライアントＰＣ１１から切断し、当該ＰＤＡ１６を携帯して外出する。そして、外出先でその文書を文書ビューアアプリケーション４４で閲覧し、それを印刷したいときには、文書印刷アプリケーション４６を起動する。
【００３０】
この文書印刷アプリケーション４６は、閲覧している文書に対応した文書ＩＤを取り出す。その中にはアクセス可能なプリンタのリスト（図３参照）が記述されているので、このリストを、ユーザインタフェース４７を通してＰＤＡ１６の画面に表示する。
【００３１】
ユーザは、ＰＤＡ１６の画面に表示されたリストの中から印刷したいプリンタ１５−１〜１５−ｎのいずれか一つを選び、印刷を指示する。文書印刷アプリケーション４６は、文書ＩＤよりサーバ装置１２のＵＲＬを知り、インターネット接続インタフェース４８を通してその文書ＩＤと、ユーザが選んだプリンタ名をサーバ装置１２に送信する。
【００３２】
ＰＤＡ１６から文書ＩＤとプリンタ名を受け取ったサーバ装置１２は、文書ＩＤより蓄積された文書を特定し、特定した文書を指定されたプリンタに転送するとともに、その文書フォーマットに対応するアプリケーションを起動して、そのアプリケーションの印刷機能により当該プリンタにて印刷を行う。
【００３３】
上述したように、クライアントＰＣ１１、サーバ装置１２およびプリンタ１５−１〜１５−ｎがネットワーク１３やインターネット１４を介して接続されてなる印刷システムにおいて、クライアントＰＣ１１で作成され、ＰＤＡ１６に転送された文書をＰＤＡ１６からの印刷指示によってプリンタ１５−１〜１５−ｎのいずれかで印刷するに当たり、クライアントＰＣ１１側では、サーバ装置１２へ文書を転送した際に、サーバ装置１２から文書ＩＤを取得し、この取得した文書ＩＤを文書と共にＰＤＡ１６へ転送する一方、ＰＤＡ１６側では、クライアントＰＣ１１から転送された文書および文書ＩＤを関連付けて管理し、文書を印刷する際は、当該文書に対応する文書ＩＤをサーバ装置１２へ送信し、これを受けてサーバ装置１２が文書ＩＤに対応する文書をプリンタ１５−１〜１５−ｎのいずれかへ転送することで、ＰＤＡ１１の文書ではなく、ＰＤＡ１１から送信された文書ＩＤに対応するサーバ装置１２の文書が印刷されることになるため、文書をＰＤＡ１６に持ち出して閲覧するという機能と、必要に応じて近くのプリンタにてオリジナル文書と同等の印刷品質にて印刷するという機能の双方を実現できる。
【００３４】
オリジナル文書と同等の印刷品質にて印刷できることについて具体的に説明すると、ＰＤＡ１１内の文書ビューアがオリジナルのＰＣ版に比べて機能が制限されており、文書フォーマット自体もクライアントＰＣ１１からＰＤＡ１６に転送される時点で、オリジナルのものに比べて簡易なフォーマットに変換されたとしても、ＰＤＡ１１の簡易なフォーマットの文書を印刷するのではなく、クライアントＰＣ１１からサーバ装置１２に転送されたオリジナルフォーマットの文書を印刷することになるため、オリジナル文書と同等の印刷品質にて印刷できることになる。
【００３５】
［第２実施形態］
本実施形態に係る印刷システムでは、図１において、クライアントＰＣ１１からの転送フォーマットとして、サーバ装置２１にはＰＤＬ(Page Description Language;ページ記述言語)を、ＰＤＡ１６には画像フォーマットを用いる場合を例に挙げている。
【００３６】
図５は、本発明の第２実施形態に係る印刷システムにおけるクライアントＰＣ５１内の構成の一例を示す機能ブロック図であり、図中、図２と同等部分には同一符号を付して示している。
【００３７】
本例に係るクライアントＰＣ５１には、サーバ１２／ＰＤＡ１６を出力先とするプリンタドライバ５２が登録されている。このプリンタドライバ５１は、アプリケーションより印刷処理が実行されると、ＰｏｓtＳｃｒｉｐｔエンジン５４にてＰｏｓtＳｃｒｉｐｔファイルを作成してスプーラ５５、サーバＰＳ転送機構５６およびイーサネット（登録商標）インタフェース２１を介してサーバ装置１２へ送信するとともに、画像描画エンジン５７にて画像ファイルを作成してスプーラ５５、ＰＤＡ画像転送機構５８およびＵＳＢインタフェース２２を介してＰＤＡ１６に送信する。
【００３８】
文書アプリケーション５３にて印刷が指示されると、各ページの描画コマンドがＧＤＩ(Graphics Device Interface)インタフェースを通して出力される。この描画コマンドが解釈され、ＰｏｓtＳｃｒｉｐｔエンジン５４にてＰＤＬ（ここでは、ＰｏｓtＳｃｒｉｐｔ）に変換されてファイル出力されるとともに、画像描画エンジン５７にて画像ファイル（例えば、ＪＰＥＧ）ファイルとしてスプーラ５５に出力される。
【００３９】
サーバＰＳ転送機構５６は、スプーラ５５にスプールされたＰＤＬファイル（ここではＰｏｓtＳｃｒｉｐｔファイル）をサーバ装置１２に転送し、当該サーバ装置１２より文書ＩＤを得る。次に、ＰＤＡ画像転送機構５８が、スプーラ５５にスプールされた画像ファイルを文書ＩＤと共にＰＤＡ１６に転送する。
【００４０】
ＰＤＡ１６の構成は図４と同様であるが、本実施形態の場合、文書ビューアアプリケーション４４は、画像ビューアアプリケーションとなる。第１実施形態の場合と同様、文書印刷アプリケーション４６は、文書ＩＤとユーザが選んだプリンタ名をサーバ装置１２に送信する。サーバ装置１２では、指定された文書ＩＤのＰｏｓtＳｃｒｉｐｔファイルを指定されたプリンタに送信する。
【００４１】
あるいは、プリンタが外部のサーバ装置より文書を引き出して印刷できるような構成の場合は、ＰＤＡ１６を持つユーザは、文書を印刷させたいプリンタのところまで行き、そこでＰＤＡ１６をプリンタにＵＳＢ接続や無線ＬＡＮ接続などにて接続し、文書ＩＤをプリンタに送信するようにしても良い。プリンタは文書ＩＤにあるサーバ装置１２のＵＲＬよりサーバ装置１２に接続し、指定されたＰｏｓtＳｃｒｉｐｔファイルをダウンロードし、それを印刷する。
【００４２】
なお、上記各実施形態では、ＰＤＡ１６からはサーバ装置１２に対して印刷したい文書に関してはその文書ＩＤのみを送信するとしたが、クライアントＰＣ１１から転送された文書に対してＰＤＡ１６上で下線や付箋などの簡単な追記を行い、その追記した状態の文書の印刷を行いたい場合には、サーバ装置１２に対して文書ＩＤと共に追記した情報をサーバ装置１２に転送することにより、当該サーバ装置１２の印刷制御の下に、下線や付箋などの簡単な追記を行った状態の文書を印刷することができる。
【００４３】
また、上記実施形態では、携帯端末としてＰＤＡに適用した場合を例に挙げて説明したが、ＰＤＡに限られるものではなく、ＰＤＡと同等の機能を持つ携帯端末全般に対して適用することが可能である。
【図面の簡単な説明】
【００４４】
【図１】本発明の第１実施形態に係る携帯端末文書の印刷システムの全体構成を示すブロック図である。
【図２】クライアントＰＣの構成の一例を示す機能ブロック図である。
【図３】文書ＩＤの構成例を示す図である。
【図４】ＰＤＡ内の構成の一例を示す機能ブロック図である。
【図５】本発明の第２実施形態に係る印刷システムにおけるクライアントＰＣ内の構成の一例を示す機能ブロック図である。
【符号の説明】
【００４５】
１１，５１…クライアントＰＣ、１２…サーバ装置、１３…ネットワーク、１４…インターネット、１５−１〜１５−ｎ…プリンタ、１６…ＰＤＡ
【図１】
2006185009.tif 000003
【図２】
2006185009.tif 000004
【図３】
2006185009.tif 000005
【図４】
2006185009.tif 000006
【図５】
2006185009.tif 000007